(57)【特許請求の範囲】
【請求項１】
火災受信機に接続されコモン線とライン線とからなる感知器回線と、該感知器回線に接続されスイッチング動作によって火災信号を前記感知器回線に出力する１個又は複数の火災感知器と、前記感知器回線に接続され前記火災受信機と前記火災感知器との間に介在する中継器と、を備えた火災報知設備において、
前記火災感知器は、自己点検により自己の不具合を検出する点検手段と、
該点検手段の結果に基づき、不具合があるときには異常信号を前記感知器回線に出力する出力手段と、を備え、
前記中継器は、前記火災感知器が出力する前記異常信号及び前記火災信号を受信する受信手段と、
前記中継器内の前記コモン線及びライン線に介在する接点からなり、該接点を切り替えて前記中継器と前記火災受信機の間の前記感知器回線を断線させる断線発生手段と、
断線すると共に、前記中継器と前記火災感知器の間の前記感知器回線に電源を供給する電源供給手段と、を備え、
前記火災受信機は、前記感知器回線が断線したときに断線警報を発する断線警報発報手段を備えたことを特徴とする火災報知設備。
【請求項２】
前記電源供給手段は電源装置又は前記火災受信機からの前記感知器回線とは別の電源線を介して電源を得ることを特徴とする請求項１記載の火災報知設備。
【請求項３】
前記火災感知器は、前記点検手段の結果に基づき、不具合があることを外部に表示して識別させる表示手段を備えたことを特徴とする請求項１又は２記載の火災報知設備。
【請求項４】
前記断線発生手段は、前記コモン線及びライン線に介在する接点を断続的に切り離すことを特徴とする請求項１乃至３記載いずれか記載の火災報知設備。
【請求項５】
前記受信手段は、前記断線発生手段により前記感知器回線が断線している場合であっても、前記火災感知器からの火災信号を受信すると、前記断線発生手段による断線を復旧させることを特徴とする請求項１乃至４いずれか記載の火災報知設備。
【請求項６】
感知器回線に接続される火災受信機と、スイッチング動作によって火災信号を前記感知器回線に出力する火災感知器との間に介在し、前記感知器回線に接続される中継器において、
前記火災感知器の自己点検の結果に基づき、不具合の場合に出力される異常信号を受信する受信手段と、
前記受信手段で受信した前記火災感知器の異常信号の結果に基づき、前記火災感知器が不具合の場合に接点切替信号を出力する判定手段と、
前記感知器回線のコモン線及びライン線に介在する接点を有する２つの接点切替手段からなり、前記接点切替信号を受信すると、前記接点切替手段の接点を切り替えて前記中継器と前記火災受信機の間の前記感知器回線を断線させる断線発生手段と、
断線すると共に、前記中継器と前記火災感知器の間の前記感知器回線に電源を供給する電源供給手段と、を備えたことを特徴とする中継器。
【発明の詳細な説明】
【技術分野】
【０００１】
本発明は、中継器、及び火災報知設備に関するものである。
【背景技術】
【０００２】
例えば、従来の火災報知設備には、火災受信機が中央監視室内に配設されて、火災受信機からライン線とコモン線が配設され、ライン線とコモン線とが終端抵抗を介して接続されているものがある（例えば、特許文献１参照）。
【先行技術文献】
【特許文献】
【０００３】
【特許文献１】特開平６−１７６２８９号公報
【発明の概要】
【発明が解決しようとする課題】
【０００４】
特許文献１に記載の技術は、火災感知器に不具合が発生した場合に、火災受信機、例えばＰ型受信機はその旨を受信して、警報や表示等の制御をすることができない。
また、火災感知器に不具合が発生したことを火災受信機に出力する自己点検機能を備えることで、火災感知器に不具合が発生したかを表示させる場合には、火災受信機を専用の火災受信機（例えば、Ｒ型）に取り替えなければならないという問題があった。
【０００５】
本発明は、以上のような課題を解決するためになされたもので、既設の火災受信機を取り替えることなく、火災感知器で発生した不具合を専用の火災受信機でない火災受信機でも報知することを可能とする火災報知設備及びそれに利用する中継器を提供することを目的としている。
【課題を解決するための手段】
【０００６】
本発明は、火災受信機に接続されコモン線とライン線とからなる感知器回線と、該感知器回線に接続されスイッチング動作によって火災信号を感知器回線に出力する１個又は複数の火災感知器と、感知器回線に接続され火災受信機と火災感知器との間に介在する中継器と、を備えた火災報知設備において、火災感知器は、自己点検により自己の不具合を検出する点検手段と、該点検手段の結果に基づき、不具合があるときには異常信号を感知器回線に出力する出力手段と、を備え、中継器は、火災感知器が出力する異常信号及び火災信号を受信する受信手段と、中継器内のコモン線及びライン線に介在する接点からなり、該接点を切り替えて中継器と火災受信機の間の感知器回線を断線させる断線発生手段と、断線すると共に、中継器と火災感知器の間の感知器回線に電源を供給する電源供給手段と、を備え、火災受信機は、感知器回線が断線したときに断線警報を発する断線警報発報手段を備えたものである。
【０００７】
また、本発明に係る中継器は、感知器回線に接続される火災受信機と、スイッチング動作によって火災信号を感知器回線に出力する火災感知器との間に介在し、感知器回線に接続される中継器において、火災感知器の自己点検の結果に基づき、不具合の場合に出力される異常信号を受信する受信手段と、受信手段で受信した火災感知器の異常信号の結果に基づき、火災感知器が不具合の場合に接点切替信号を出力する判定手段と、感知器回線のコモン線及びライン線に介在する接点を有する２つの接点切替手段からなり、接点切替信号を受信すると、接点切替手段の接点を切り替えて中継器と火災受信機の間の感知器回線を断線させる断線発生手段と、断線すると共に、中継器と火災感知器の間の感知器回線に電源を供給する電源供給手段と、を備えたものである。
【発明の効果】
【０００８】
本発明に係る火災報知設備によれば、中継器に設けられる断線発生手段が、火災感知器から感知器回線に出力された火災感知器の異常信号を受信したときに感知器回線を断線させ、そして、断線警報発報手段が感知器回線が断線したときに断線警報を発する。これにより、本発明に係る火災報知設備は、専用の火災受信機でない場合でも、火災受信機をリニューアルすることなく、既設の火災受信機で火災感知器の不具合を報知することができる。
【０００９】
本発明に係る中継器によれば、火災感知器から不具合の旨の異常信号を受信したときに、コモン線及びライン線に介在する接点を切り替えて、中継器と火災受信機の間の感知器回線を断線させるので、専用の火災受信機でない場合でも、火災受信機をリニューアルすることなく、既設の火災受信機で火災感知器の不具合を報知することができる。
【図面の簡単な説明】
【００１０】
【図１】本発明に係る火災報知設備の概要構成図である。
【図２】図１に示す火災感知器の制御回路の構成である。
【図３】図１に示す中継器の制御回路の構成である。
【図４】（ａ）が通常時と火災時における感知器回線の電圧を示し、（ｂ）が通常時と不具合発生時の感知器回線の電圧を示すものである。
【発明を実施するための形態】
【００１１】
実施の形態１．
以下、本発明の実施の形態１を図面に基づいて説明する。
図１は、本発明の実施の形態１に係る火災報知設備１００の概要構成例図である。図１においては、３つの火災感知器２が設けられ、終端素子としての終端抵抗Ｒが設けられた場合を一例として図示している。ここで、火災感知器２の数はそれに限定されるものではない。
【００１２】
火災報知設備１００は、ビル等の建物の各部屋等に設置される火災感知器２と、火災感知器２の検出結果に基づいた警報をする火災受信機１と、火災感知器２と火災受信機１との間に介在する中継器６が、コモン線３とライン線４とからなる感知器回線５で接続されて構成されている。以下、感知器回線５と称したものは、コモン線３及びライン線４を合わせたものである。
【００１３】
[火災報知設備１００の構成]
図１を用いて、火災報知設備１００を説明する。
【００１４】
火災受信機１は、Ｐ型受信機であり、コモン線３及びライン線４を介して１個又は複数の火災感知器２が接続されている。Ｐ型火災受信機とは、コモン線３、ライン線４からなる感知器回線５に接続されている火災感知器２の電気的な接点が閉じることにより起こる感知器回線５の電圧等の電気的な変化に基づいて火災を判断するものである。火災受信機１は、火災を音声で報知するためのスピーカや、表示で報知するためのランプ等が設けられている。さらに、火災受信機１は感知器回線５の断線時にも音声やランプによる断線警報により断線したことを報知する断線警報発生手段が設けられている。なお、この火災受信機１は、例えば、建物の防災センタなどといった中央管理室に設置されている。そして、火災受信機１が検出した火災や断線は、防災センタで報知される。
【００１５】
火災感知器２は、火炎によって生じる熱、煙、炎などを検出すると、感知器回線５を介して火災受信機１に火災を検知した旨の信号である火災信号を出力する。なお、火災感知器２の火災信号とは、例えば、火災感知器２のスイッチング動作によって感知器回線５のインピーダンスを小さくするものである。
【００１６】
また、火災感知器２は、出力値監視方式によって、出力値異常等の自身の不具合を検出している。なお、出力値監視方式とは、火災感知器２が火災を検出していないときの出力値が、火災感知器２が初期設置された状態における出力値に対して、どれだけ変化しているかを検出し、火災感知器２の不具合を検出する方式である。この火災感知器２は、いわゆる送り配線の方式で、それぞれが並列の接続関係となるように感知器回線５を介して火災受信機１に接続されている。
【００１７】
中継器６は、火災受信機１と複数の火災感知器２の間に介在し、感知器回線５に設けられている。また、中継器６は電源供給手段である電源装置８に接続されている。火災監視時（通常時）には、中継器６は火災受信機１から電源供給を受けており、電源装置８からは電源供給を受けていない。電源供給手段は電源装置８だけに限らず、例えば商用電源のように、電源を供給できるものであれば良い。
【００１８】
終端抵抗Ｒはいわゆる送り配線の方式で接続されている感知器回線５の末端に位置し、コモン線３とライン線４とを接続する抵抗である。終端抵抗Ｒにより、感知器回線５に流れる微弱な電流によって、火災受信機１は感知器回線５の断線を監視している。
感知器回線５は、コモン線３及びライン線４より構成され、火災受信機１と火災感知器２と中継器６とを接続するものである。コモン線３及びライン線４には、いわゆる送り配線の方式で、それぞれの火災感知器２が並列の接続関係となるように接続されている。なお、このコモン線３及びライン線４は、これらが１組で１回線を構成する。すなわち、例えば火災受信機１からコモン線３を共通として、ライン線４を複数本引き出して複数回線とすると、回線ごとに火災信号を受信することができる。
【００１９】
[火災感知器２の構成]
図２は火災感知器２の制御回路５０の構成の一例である。図２を用いて、火災感知器２の制御回路５０の構成について説明する。
【００２０】
火災感知器２の制御回路５０は、検出回路１４と判別回路１３とを有し、自己点検により自己の不具合を検出する点検手段を備えている。また、必要な回路に定電圧を供給する定電圧回路１１と、コモン線３とライン線４とを接続して感知器回線５を低インピーダンス状態にするスイッチング回路１２と、不具合があることを外部に表示して識別させる表示手段である動作表示灯１７とをさらに有している。
【００２１】
定電圧回路１１は、感知器回線５を介して供給される電源電圧を、所定の電圧値、例えば５（Ｖ）などに変換し、必要な回路に供給するものである。図２に示すように、定電圧回路１１は、判別回路１３及び検出回路１４に接続されており、これらに動作電圧を供給している。なお、定電圧回路１１は、例えば定電圧ＩＣなどから構成される。
【００２２】
検出回路１４は、火災によって生じる熱、煙、炎などを検出し、検出結果を出力するものである。検出に必要な素子及び増幅回路等から構成される。この検出回路１４は、判別回路１３に接続されている。
【００２３】
判別回路１３は、検出回路１４の出力のレベル判定などを実施して、火災であるか否かを判別し、その判別結果に基づいて、感知器回線５を介して火災受信機１に火災信号を出力するようにスイッチング回路１２を制御するものである。なお、判別回路１３は、火災であると判別した場合に、動作表示灯１７を点灯するように制御する。
【００２４】
また、判別回路１３は、火災感知器２の不具合を出力値監視方式によって検出し、検出回路１４による検出の結果、出力値異常と判別した場合に、異常信号を感知器回線５に出力するようにスイッチング回路１２を制御するものである。なお、検出回路１４が火災感知器２の不具合を検出する方式は、擬似出力方式として、自ら熱や光の擬似入力を行う方式でも良い。つまり、判別回路１３は、検出回路１４からの検出出力が入力され、レベル判定等により火災及び火災感知器２自身の不具合を判別する。なお、判別回路１３は、例えばマイクロプロセッサ等で構成される。
【００２５】
スイッチング回路１２は、判別回路１３が火災であると判別すると閉じた状態となって、感知器回線５に火災信号を出力するものである。すなわち、判別回路１３は火災であると判別するとスイッチング回路１２を閉じる旨の信号の出力をし、その出力を受信したスイッチング回路１２は感知器回線５を低インピーダンス状態に維持する。スイッチング回路１２が感知器回線５を低インピーダンス状態に維持することを、火災感知器２から火災受信機１への火災信号としている。また、低インピーダンスとは、火災が発生していない状態における感知器回線５のインピーダンスに対してインピーダンスが低いということである。このスイッチング回路１２は、判別回路１３、及び感知器回線５に接続されている。なお、スイッチング回路１２は、例えばトランジスタ等により構成される。
【００２６】
また、スイッチング回路１２は、判別回路１３が火災感知器２自身に不具合があると判別すると、後述するように、パルス的な電圧の変化を感知器回線５に出力するものである。つまり、スイッチング回路１２は、火災感知器２が不具合であった場合に、感知器回線５をパルス的に低インピーダンス状態にする。
【００２７】
動作表示灯１７は、判別回路１３の出力に基づいて、火災時、火災感知器２自身の不具合時において点灯又は点滅制御されるものである。この動作表示灯１７は、判別回路１３、及びライン線４に接続されている。なお、動作表示灯１７は、例えばＬＥＤなどの発光素子を採用するとよい。
【００２８】
コモン線接続部３Ａはコモン線３が接続され、ライン線接続部４Ａはライン線４が接続される接続部である。コモン線３とライン線４の間に火災感知器２が設けられ、電気的な接続としては、コモン線接続部３Ａとライン線接続部４Ａの間に火災感知器２の制御回路５０が設けられることになる。
【００２９】
[中継器６の構成]
図３は中継器６の制御回路４０の構成の一例である。図３を用いて、中継器６の制御回路４０の構成について説明する。
【００３０】
中継器６の制御回路４０は、受信回路２２と、接点切替回路２５及び２６と、電源回路２１と、定電圧回路２４とを有している。
【００３１】
定電圧回路２４は、中継器６の制御回路４０に供給される電源電圧を所定の電圧、例えば５Ｖにして、必要な回路に供給するものである。定電圧回路２４は、例えば低電圧ＩＣによって構成される。
【００３２】
接点切替回路２５はコモン線３に介在する接点を有し、接点切替回路２６はライン線４に介在する接点を有する。接点切替回路２５及び２６は火災監視位置の接点２５ａ及び２６ａと断線位置の接点２５ｂ及び２６ｂの２つの位置の接点を有するものである。火災監視位置の接点２５ａはコモン線３と接続しており、火災監視位置の接点２６ａはライン線４と接続している。断線位置の接点２５ｂ及び２６ｂは電源装置８と接続している。そして、接点切替回路２５及び２６が火災監視位置の接点２５ａ及び２６ａを閉じているときには、火災受信機１と火災感知器２は中継器６を介して接続される。一方、接点切替回路２５及び２６が断線位置の接点２５ｂ及び２６ｂを閉じているときには、火災受信機１と火災感知器２は接続されず、電源装置８と火災感知器２が中継器６を介して接続される。つまり、接点切替回路２５及び２６は、中継器６と火災受信機１の間の感知器回線５を断線させる断線発生手段を構成する。接点切替回路２５及び２６は、判別回路２３の出力により制御される。
【００３３】
受信回路２２は、火災感知器２から感知器回線５に出力される火災信号及び異常信号を受信する受信手段からなる。受信回路２２は火災信号又は異常信号を受信すると、判別回路２３に信号を出力する。
【００３４】
判別回路２３は、中継器６全体の制御を行うものであり、例えばマイクロプロセッサによって構成される。判別回路２３は、火災感知器２の異常信号を受信した受信回路２２からその旨の信号を受信すると、断線発生手段である接点切替回路２５及び２６の接点を火災監視位置の接点２５ａ及び２６ａから断線位置の接点２５ｂ及び２６ｂに切り替えるように制御し、感知器回線５を断線させる。
【００３５】
判別回路２３は、接点切替回路２５及び２６の接点を切り替えて感知器回線５を断線させている場合に、受信回路２２から火災信号の旨の信号を受信すると、接点切替回路２５及び２６の接点を断線位置の接点２５ｂ及び２６ｂから火災監視位置の接点２５ａ及び２６ａに戻すように制御する。
【００３６】
電源回路２１は電源装置８に接続されているものである。火災監視位置の接点２５ａ及び２６ａが閉じている場合、電源回路２１は感知器回線５とは接続されない状態となっている。接点切替回路２５及び２６が断線位置の接点２５ｂ及び２６ｂに切り替えたときに、中継器６より末端の感知器回線５に電源を供給し、火災感知器２を正常に動作させる。
【００３７】
コモン線接続部３Ｂはコモン線３が引き込まれて、コモン線接続部３Ｃはコモン線３が引き出されるように接続される接続部である。また、ライン線接続部４Ｂはライン線４が引き込まれて、ライン線接続部４Ｃはライン線４が引き出されるように接続される接続部である。電気的な接続としては、コモン線接続部３Ｂ及び３Ｃとライン線接続部４Ｂ及び４Ｃの間に中継器６の制御回路４０が設けられることになる。
【００３８】
[動作説明]
図１乃至図３を参照して、火災感知器２に不具合があった場合における火災報知設備１００の動作例を説明する。
【００３９】
各火災感知器２は、火災監視時において、所定間隔で火災判別を行う。この火災監視時に、各火災感知器２は、出力値監視方式により、自身に不具合があるか否かも判別している。また、中継器６の接点切替回路２５及び２６は火災監視位置の接点２５ａ及び２６ａが閉じており、中継器６は火災受信機１から電源を供給されている。
【００４０】
先ず、各火災感知器２は、出力値異常の不具合があった場合には、火災感知器２の制御回路５０の判別回路１３が動作表示灯１７を点灯又は点滅させる。この動作表示灯１７の点灯又は点滅により、ユーザーに対して外観的にどの火災感知器２に不具合があるかを報知している。さらに、判別回路１３は、動作表示灯１７の点灯又は点滅の制御と同時に、スイッチング回路１２を一定の周期でＯＮ／ＯＦＦ動作するように制御し、感知器回線５の電圧をパルス的に変化させることで感知器回線５に異常信号を出力する。
【００４１】
次に、感知器回線５を常時監視している中継器６の受信回路２２は、火災感知器２から出力された異常信号を受信すると、判別回路２３から接点切替回路２５及び２６に接点切替信号を出力する。すると、火災監視位置の接点２５ａ及び２６ａが閉じている接点切替回路２５及び２６は、接点を断線位置の接点２５ｂ及び２６ｂに同時に切り替えて閉じる。接点を断線位置の接点２５ｂ及び２６ｂに切り替えると、中継器６と火災受信機１の接続は切り離されて断線が生じる。そして、電源装置８と接続された中継器６の電源回路２１と中継器６の後段側の感知器回線５とが接続されるので、電源装置８から感知器回線５を介して火災感知器２に電源が供給される。つまり、各火災感知器２は火災受信機１との接続は切れるが、電源装置８から電源供給されているため、通常通り動作する。なお、電源回路２１への接続は電源装置８ではなく、火災受信機１から感知器回線５とは別の電源供給用の電源線を引いてきて接続しても良い。ここで、感知器回線５の後段側とは、中継器６と終端抵抗Ｒまでの火災感知器２が接続される回線のことである。
【００４２】
次に、接点切替回路２５及び２６の接点の切替により感知器回線５の断線を火災受信機１が検出すると、火災受信機１の断線警報発報手段である盤面による断線表示及び音声による断線警報で断線警報を行う。このとき、ユーザーは火災受信機１の断線警報発報手段により、感知器回線５が本当に断線しているか、若しくはその感知器回線５に接続されている火災感知器２のいずれかに不具合があることを知ることができる。なお、火災感知器２に不具合があった場合に接点切替回路２５及び２６の火災監視位置の接点２５ａ及び断線位置の接点２５ｂ並びに火災監視位置の接点２６ａ及び断線位置の接点２６ｂを断続的に同じタイミングで切り替えることで、断線警報発報手段を確認したユーザーに対して、感知器回線５の断線ではなく、感知器回線５に接続されている火災感知器２の不具合であることを知らせることができる。
【００４３】
最後に、火災受信機１とは接続が切れ、中継器６から電源供給を受けている状態の火災感知器２が火災を検出すると、判別回路１３に制御されたスイッチング回路１２によって感知器回線５を低インピーダンス状態にする火災信号が出力される。その火災信号を中継器６の受信回路２２が受信すると、判別回路２３は接点切替信号を接点切替回路２５及び２６に出力する。そして接点切替回路２５及び２６の接点を断線位置の接点２５ｂ及び２６ｂから火災監視位置の接点２５ａ及び２６ａに切り替え、火災受信機１の断線状態を復旧させる。断線状態から復旧した火災受信機１は、火災感知器２が感知器回線５に出力する火災信号に基づいて、スピーカからの音声やランプの点滅により火災を報知することができる。
【００４４】
[火災信号及び異常信号について]
図４は、（ａ）が通常時と火災時における感知器回線５の電圧を示し、（ｂ）が通常時と不具合発生時の感知器回線５の電圧を示すものである。図４に基づいて、火災信号及び異常信号の一例について説明する。
【００４５】
火災感知器２が出力する火災信号は、火災がない通常時の感知器回線５の電圧値を例えば約２４（Ｖ）と設定しているとき、この電圧値を例えば約８（Ｖ）に変化させて構成する。
【００４６】
火災感知器２が出力する異常信号としては、火災がないときの（通常時）感知器回線５の約２４（Ｖ）から、短い間隔で、所定回数だけパルス的に電圧を変化させて構成される信号を採用するとよい。パルス的な電圧の変化は火災信号と同様、約８（Ｖ）に変化させればよいが、この数値に限らず、受信回路２２が異常信号だと判別できる電圧であればよい。なお、図４では、所定回数を２回としたものを一例として図示している。これにより、１回目の電圧変化を中継器６の判別回路２３が捕らえきれなくても、２回目の電圧変化で判別回路２３が確実にこの電圧変化が異常信号であるかを確認することができる。したがって、所定回数は、２回以上に設定するとよい。
【００４７】
[火災報知設備１００の有する効果]
本実施の形態１に係る火災報知設備１００は、中継器６が火災感知器２の異常信号を受信したときに、中継器６に設けられ、コモン線３及びライン線４に介在する接点切替回路２５及び２６の接点を切り替えて、感知器回線５を断線させ、そして、火災受信機１の断線警報発報手段が感知器回線５の断線を断線警報で報知する。これにより、Ｐ型の火災受信機１であっても、感知器回線５の断線を火災感知器２の異常信号として検出することができ、火災感知器２の不具合を知ることができる。すなわち、本実施の形態１に係る火災報知設備１００は、火災感知器２の自己点検による結果を受信して制御できる専用の火災受信機ではない火災受信機１でも火災感知器２の不具合を報知することができる。
【００４８】
また、本実施の形態１に係る火災報知設備１００は、例えば、既に建物に設けられたＰ型の火災報知設備をリニューアルする場合において有効である。すなわち、既に建物に設けられたＰ型の火災報知設備の火災受信機１と火災感知器２の間に中継器６を介在させることで、火災報知設備１００を得ることができる。既に建物に設けられたＰ型の火災報知設備の火災受信機１を、専用の火災受信機（例えばＲ型）とするよりも、既設の火災感知器を本発明の火災感知器２とし、中継器６を設ける方が低コストで実施することができる。
【００４９】
実施の形態２．
実施の形態２では、上述の実施の形態１と構成は同じで、動作が異なる場合について説明する。実施の形態２では、上述の実施の形態１との相違点について詳細に説明するものとし、実施の形態１に対応している部材については同じ符号をつけて説明を省略する。さらに、火災報知設備１００の構成、火災感知器２の構成、中継器６の構成は上述の実施の形態１と同様なので省略する。
【００５０】
[動作説明]
図１乃至図３を参照して、火災感知器２に不具合があった場合における火災報知設備１００の動作例を説明する。
【００５１】
各火災感知器２は、火災監視時において、所定間隔で火災判別を行う。この火災監視時に、各火災感知器２は、出力値監視方式により、自身に不具合があるか否かも判別している。また、中継器６の接点切替回路２５及び２６は火災監視位置の接点２５ａ及び２６ａが閉じており、中継器６は火災受信機１から電源を供給されている。
【００５２】
先ず、各火災感知器２は、出力値異常の不具合があった場合には、火災感知器２の制御回路５０の判別回路１３が動作表示灯１７を点灯又は点滅させる。さらに、判別回路１３は、動作表示灯１７の点灯又は点滅の制御と同時に、スイッチング回路１２を一定の周期でＯＮ／ＯＦＦ動作するように制御し、感知器回線５の電圧をパルス的に変化させることで感知器回線５に異常信号を出力する。
【００５３】
次に、感知器回線５を常時監視している中継器６の受信回路２２は、火災感知器２から出力された異常信号を受信すると、判別回路２３から接点切替回路２５及び２６に接点切替信号を出力する。そして、火災監視位置の接点２５ａ及び２６ａを閉じている接点切替回路２５及び２６は、接点を断線位置の接点２５ｂ及び２６ｂに同時に切り替えて閉じる。断線位置の接点２５ｂ及び２６ｂに切り替えると、中継器６と火災受信機１の接続は切り離されて断線が生じる。
【００５４】
次に、接点切替回路２５及び２６の接点の切替により感知器回線５の断線を火災受信機１が検出すると、火災受信機１の断線警報発報手段である盤面による断線表示及び音声による断線警報で断線警報を行う。このとき、ユーザーは火災受信機１の断線警報発報手段により、感知器回線５が本当に断線しているか、若しくはその感知器回線５に接続されている火災感知器２のいずれかに不具合があることを知ることができる。なお、火災感知器２に不具合があった場合に接点切替回路２５及び２６の火災監視位置の接点２５ａ及び断線位置の接点２５ｂ並びに火災監視位置の接点２６ａ及び断線位置の接点２６ｂを断続的に同じタイミングで切り替えることで、断線警報発報手段を確認したユーザーに対して、感知器回線５の断線ではなく、感知器回線５に接続されている火災感知器２の不具合であることを知らせることができる。
【００５５】
最後に、接点切替回路２５及び２６の接点を断線位置の接点２５ｂ及び２６ｂに切り替えた中継器６の判別回路２３は、接点切替信号の出力の時間が、火災受信機１が断線を検出できる時間を超えた後、接点切替信号の出力を停止し、接点切替回路２５及び２６の接点を火災監視位置の接点２５ａ及び２６ａに復旧させて、感知器回線５を通常通りに復帰させる。このとき、火災受信機１は断線表示を保持する。例えば、火災受信機１が、感知器回線５が断線してから５秒以内に断線を検出できるとしたら、中継器６の判別回路２３は接点切替回路２５及び２６の接点を断線位置の接点２５ｂ及び２６ｂに切り替えてから１０秒後に、火災監視位置の接点２５ａ及び２６ａに切り替えて、感知器回線５を復旧させると良い。この動作により、火災感知器２の不具合を検出した動作後においても、火災報知設備１００は、火災を検出可能である。すなわち、火災感知器２の不具合により感知器回線５が断線したとしても、火災受信機１が断線を検出した後に接点切替回路２５及び２６の接点を火災監視位置の接点２５ａ及び２６ａに復旧させるので、感知器回線５は通常通りに復帰する。そのため、火災を検出した場合には、火災感知器２は感知器回線５を介して火災受信機１に火災信号を出力できる。そして、火災受信機１は、出力された火災信号に基づいて、スピーカからの音声やランプの点滅により火災を報知することができる。
【００５６】
また、感知器回線５の復帰後、火災感知器２の動作表示灯１７は、不具合があった場合の点灯又は点滅を保持し続けると良い。この保持はユーザーからの操作があるまで続けることが好ましい。
【００５７】
上記の動作説明では、感知器回線５が復帰しても断線表示を保持できる火災受信機１の場合で説明したが、感知器回線５が復帰すると復旧する火災受信機１もある。この火災受信機１は、上記のように接点切替信号の出力の時間が、火災受信機１が断線を検出できる時間を超えた後、接点切替回路２５及び２６の接点を火災監視位置の接点２５ａ及び２６ａに復旧させると、火災受信機１は断線を報知できなくなる。このような火災受信機１の場合は、接点切替回路２５及び２６の接点を断続的に切り替える。つまり、接点切替回路２５及び２６の接点が火災監視位置の接点２５ａ及び２６ａの場合は火災受信機１から電源の供給を受けて火災監視し、接点が断線位置の接点２５ｂ及び２６ｂの場合は、火災受信機１は断線警報を鳴動させると共に、電源装置８から接点切替回路２５及び２６の接点を断線位置の接点２５ｂ及び２６ｂから火災監視位置の接点２５ａ及び２６ａに切り替えるための電源の供給を受ける。
【００５８】
接点切替回路２５及び２６が通常の接続状態になっている間は火災受信機１から断線警報は出ず、火災監視を行う。接点切替回路２５及び２６の接点が切り離されている間は火災受信機１から断線警報が鳴動する。断続的に断線警報を鳴動させることで、ユーザーは火災感知器２の不具合であることを知ることができる。接点切替回路２５及び２６の接点の断続的な切り替えは、ユーザーが火災受信機１の鳴動に気づき、音響停止スイッチ等の操作があるまで続けると良い。
【００５９】
[火災報知設備１００の有する効果]
本実施の形態１に係る火災報知設備１００は、中継器６が火災感知器２の異常信号を受信したときに、中継器６に設けられ、コモン線３及びライン線４に介在する接点切替回路２５及び２６の接点を切り替えて、感知器回線５を断線させ、そして、火災受信機１の断線警報発報手段が感知器回線５の断線を断線警報で報知する。これにより、Ｐ型の火災受信機１であっても、感知器回線５の断線を火災感知器２の異常信号として検出することができ、火災感知器２の不具合を知ることができる。すなわち、本実施の形態１に係る火災報知設備１００は、火災感知器２の自己点検による結果を受信して制御できる専用の火災受信機ではない火災受信機１でも火災感知器２の不具合を報知することができる。
【００６０】
また、本実施の形態１に係る火災報知設備１００は、例えば、既に建物に設けられたＰ型の火災報知設備をリニューアルする場合において有効である。すなわち、既に建物に設けられたＰ型の火災報知設備の火災受信機１と火災感知器２の間に中継器６を介在させることで、火災報知設備１００を得ることができる。既に建物に設けられたＰ型の火災報知設備の火災受信機１を、専用の火災受信機（例えばＲ型）とするよりも、既設の火災感知器を火災感知器２とし、中継器６を設ける方が低コストで実施することができる。
【００６１】
また、電源装置８は切替回路２５及び２６の接点を切り替えるためだけの電源供給手段であるため、実施の形態１に比べて電源装置８を小さくできる。
【符号の説明】
【００６２】
１  火災受信機、２  火災感知器、３  コモン線、３Ａ、３Ｂ、３Ｃ  コモン線接続部、４  ライン線、４Ａ、４Ｂ、４Ｃ  ライン線接続部、５  感知器回線、６  中継器、８  電源装置、１１  定電圧回路、１２  スイッチング回路、１３  判別回路、１４  検出回路、１７  動作表示灯、２１  電源回路、２２  受信回路、２３  判別回路、２４  定電圧回路、２５  接点切替回路、２５ａ  火災監視位置の接点、２５ｂ  断線位置の接点、２６  接点切替回路、２６ａ  火災監視位置の接点、２６ｂ  断線位置の接点、４０  制御回路、５０  制御回路、１００  火災報知設備、Ｒ  終端抵抗。
【図１】
0005819711.tif 000002
【図２】
0005819711.tif 000003
【図３】
0005819711.tif 000004
【図４】
0005819711.tif 000005